(57)【要約】【課題】  レーザ光のターゲットの一点への集中照射を回避して、かかるレーザ光の一点集中照射によるターゲットの寿命低下を防止し、該ターゲットの寿命低下によるレーザ着火不良及びこれに伴う燃焼不良の発生を防止するとともに、ターゲットの交換に伴なう無駄な工数の増加やエンジンの運転停止等の弊害発生を抑制し得るレーザ着火式エンジンを提供する。【解決手段】  レーザ着火式エンジンにおいて、給気弁及び排気弁のいずれか一方または双方に弁体を弁軸中心回りに回動させる弁回転装置を備えるとともに、レーザ光伝送手段を光ファイバーで構成し、弁回転装置に連動されて光ファイバーのレーザ光集光手段側の先端部を移動可能に支持する光ファイバー移動装置を設け、弁回転装置によって光ファイバー移動装置を移動させることにより光ファイバーの先端部の向きを所要の方向に変化可能に構成したことを特徴とする。【選択図】    図１
2006104973.tif 000002
【特許請求の範囲】
【請求項１】
レーザ発振装置からのレーザ光をレーザ光伝送手段を通してシリンダヘッドに装着されたレーザ光集光手段に伝送し、該レーザ光集光手段から、燃焼室内のターゲットに照射して発生させたプラズマにより該燃焼室内のガスに着火するように構成されたレーザ着火式エンジンにおいて、給気弁及び排気弁のいずれか一方または双方に弁体を弁軸中心回りに回動させる弁回転装置を備えるとともに、前記レーザ光伝送手段を光ファイバーで構成し、前記弁回転装置に連動されて前記光ファイバーの前記レーザ光集光手段側の先端部を移動可能に支持する光ファイバー移動装置を設け、前記弁回転装置によって前記光ファイバー移動装置を移動させることにより前記光ファイバーの先端部の向きを所要の方向に変化可能に構成したことを特徴とする光ファイバー移動装置を備えたレーザ着火式エンジン。
【請求項２】
前記光ファイバー移動装置は、前記弁体に取付けられて該弁体とともに回動するカムと、前記光ファイバーの先端部を支持して前記カムによって往復動せしめられるファイバー支持部材と、該ファイバー支持部材を前記カムに押し付ける方向に付勢するばねとを備え、前記弁回転装置と連動して前記カムを回動し前記ファイバー支持部材を介して前記光ファイバーの先端部を往復動するように構成してなることを特徴とする請求項１記載の光ファイバー移動装置を備えたレーザ着火式エンジン。
【請求項３】
前記弁回転装置を備えた前記給気弁あるいは排気弁を対をなして設けるとともに、前記光ファイバー移動装置を、前記給気弁あるいは排気弁の各弁体に互いに位相をずらして取付けられて該弁体とともに回動する２個のカムと、前記光ファイバーの先端部を支持するとともに、前記２個のカムの間に各カムに当接可能に設けられ、異なる方向に傾斜した２つの当接面が形成されたファイバー支持部材と、該ファイバー支持部材を前記２個のカムに押し付ける方向に付勢するばねとにより構成し、前記弁回転装置と連動して前記２つのカムを回動して前記ファイバー支持部材を介して前記光ファイバーの先端部を平面運動せしめるようにしたことを特徴とする請求項１記載の光ファイバー移動装置を備えたレーザ着火式エンジン。
【請求項４】
前記光ファイバー移動装置は、前記弁体に取付けられて該弁体とともに回動する駆動ギヤと、該駆動ギヤと噛み合うリングギヤ、サンギヤ、及び該リングギヤの内周とサンギヤの外周との間に配設された複数個の遊星ギヤを備えた遊星歯車装置とを備えて、前記遊星ギヤのうちの１つに前記光ファイバーの先端部を取付けてなり、前記駆動ギヤにより前記遊星歯車装置を駆動して前記遊星ギヤを回動させることにより前記光ファイバーの先端部を平面運動せしめるようにしたことを特徴とする請求項１記載の光ファイバー移動装置を備えたレーザ着火式エンジン。
【発明の詳細な説明】
【技術分野】
【０００１】
本発明は、主としてガスエンジン等の予混合燃焼レーザ着火式エンジンに適用され、レーザ発振装置からのレーザ光を光ファイバーを通してレーザ光集光手段に伝送し、該レーザ光集光手段から燃焼室内のターゲットに照射して発生させたプラズマにより該燃焼室内のガスに着火するように構成されたレーザ着火式エンジンであって、光ファイバーの先端部を移動せしめる光ファイバー移動装置を備えたレーザ着火式エンジンに関する。
【背景技術】
【０００２】
予混合希薄燃焼ガスエンジンにおいては、副室に装着した点火プラグによって該副室内の濃混合比ガスに点火して着火し、該着火火炎を主燃焼室内の希薄混合気中に噴出せしめて主燃焼させる点火プラグ着火方式、あるいは副室に装着したパイロット燃料噴射弁によって該副室内の混合ガス中にパイロット燃料を噴射して着火し、該着火火炎を主燃焼室内の希薄混合気中に噴出せしめて主燃焼させるパイロット燃料噴射着火方式に代えて、レーザ光を燃焼室に設けられたターゲットに照射してプラズマを発生させ、燃焼室内のガスを着火燃焼させるレーザ着火方式を用いて、希薄混合ガスの着火燃焼を促進するとともに、ＮＯｘの発生量を抑制する技術が提案されている。
【０００３】
かかるレーザ着火方式を備えた予混合希薄燃焼ガスエンジンとして、特許文献１（特開平８−９３６２０号公報）、及び特許文献２（特開平９−４２１３８号公報）の技術が提案されている。
特許文献１の技術においては、複数シリンダのシリンダヘッドの上方にミラーを設け、レーザ発振装置からクランク角に同期して着火順序で発射されたレーザ光を前記各ミラーに反射させて、シリンダヘッドに装着されたレーザ光ガイド内に導入し、該レーザ光ガイド内を通して燃焼室内のターゲットに照射するように構成されている。
また、特許文献２の技術においては、レーザ発振装置とピストン表面上に設けた１個のターゲットとの間のレーザ光の光路内にエンジン回転によってレーザ光を常時ターゲット上に照射できるように焦点可変装置を装備している。
【０００４】
【特許文献１】特開平８−９３６２０号公報
【特許文献２】特開平９−４２１３８号公報
【発明の開示】
【発明が解決しようとする課題】
【０００５】
レーザ着火式エンジンには、ピストン等の燃焼室構成部材に固定した耐熱金属製の固体ターゲットにレーザ光を照射する固定ターゲットレーザ着火方式と、燃焼室内のガスに直接レーザ光を照射する吸収式レーザ着火方式とがある。
このうち固定ターゲットレーザ着火方式は、前記固体ターゲットにレーザ光を照射することにより、数ｍｊ（ミリジュール）〜１０数ｍｊ程度のレーザ光源出力で以って数１０万℃という超高温のプラズマを発生させることが可能となる。
【０００６】
然るに、前記特許文献１（特開平８−９３６２０号公報）及び特許文献２（特開平９−４２１３８号公報）に開示されているような固定ターゲットレーザ着火方式のレーザ着火式エンジンにおいては、前述のように、固体ターゲットの一点にレーザ光を集中照射することにより数１０万℃という超高温のプラズマを発生させるようになっているため、該固体ターゲットのレーザ光照射点が前記のようなレーザ光の集中照射による超高温のプラズマ発生に伴い焼損を発生し易くなる。
このため、かかる従来技術にあっては、前記のようなレーザ光の一点集中照射によって固定ターゲットの寿命が短くなり、レーザ着火不良及びこれに伴う燃焼不良が発生し易くなり、また固定ターゲットの交換を必要とする事態が発生し易くなって、該固定ターゲットの交換に伴なう無駄な工数の増加やエンジンの運転停止等の弊害を生ずる。
【０００７】
本発明はかかる従来技術の課題に鑑み、レーザ光のターゲットの一点への集中照射を回避して、かかるレーザ光の一点集中照射によるターゲットの寿命低下を防止し、該ターゲットの寿命低下によるレーザ着火不良及びこれに伴う燃焼不良の発生を防止するとともに、ターゲットの交換に伴なう無駄な工数の増加やエンジンの運転停止等の弊害発生を抑制し得るレーザ着火式エンジンを提供することを目的とする。
【課題を解決するための手段】
【０００８】
本発明はかかる目的を達成するもので、レーザ発振装置からのレーザ光をレーザ光伝送手段を通してシリンダヘッドに装着されたレーザ光集光手段に伝送し、該レーザ光集光手段から、燃焼室内のターゲットに照射して発生させたプラズマにより該燃焼室内のガスに着火するように構成されたレーザ着火式エンジンにおいて、給気弁及び排気弁のいずれか一方または双方に弁体を弁軸中心回りに回動させる弁回転装置を備えるとともに、前記レーザ光伝送手段を光ファイバーで構成し、前記弁回転装置に連動されて前記光ファイバーの前記レーザ光集光手段側の先端部を移動可能に支持する光ファイバー移動装置を設け、前記弁回転装置によって前記光ファイバー移動装置を移動させることにより前記光ファイバーの先端部の向きを所要の方向に変化可能に構成したことを特徴とする。
【０００９】
かかる発明によれば、給気弁または排気弁の弁体を弁軸中心回りに回動させる弁回転装置に光ファイバーのレーザ光集光手段側の先端部を移動可能に支持する光ファイバー移動装置を連結して該光ファイバー移動装置を弁回転装置に連動させ、該弁回転装置により光ファイバー移動装置を移動させることにより、前記光ファイバーの先端部の向きを所要の方向に変化せしめるので、エンジンの運転中、光ファイバーの先端部が給気弁または排気弁の回動と連動する光ファイバー移動装置によって常時微小移動しながらレーザ光をターゲットに向けて照射することにより、ターゲットの異なる部位にレーザ光を順次照射することが可能となる。
【００１０】
従ってかかる発明によれば、従来技術のようにターゲットの一点にレーザ光を集中照射するのを回避でき、ターゲットの寿命を延長できる。これにより、従来技術のようなターゲットへのレーザ光集中照射による該ターゲットの焼損の発生を防止でき、またターゲットの交換頻度を大幅に低減可能となり、該ターゲットの交換に伴なう無駄な工数の増加やエンジンの運転停止等の弊害の発生を防止できる。
【００１１】
かかる発明において、好ましくは前記光ファイバー移動装置を次の３つの態様に構成する。
（１）前記光ファイバー移動装置は、前記弁体に取付けられて該弁体とともに回動するカムと、前記光ファイバーの先端部を支持して前記カムによって往復動せしめられるファイバー支持部材と、該ファイバー支持部材を前記カムに押し付ける方向に付勢するばねとを備え、前記弁回転装置と連動して前記カムを回動し前記ファイバー支持部材を介して前記光ファイバーの先端部を往復動するように構成してなる。
このように構成すれば、給気弁または排気弁の弁体とともに回動するカムによって光ファイバーの先端部を支持するファイバー支持部材を往復動せしめることにより、該光ファイバーの先端部を常時微小往復動しながらターゲットの異なる部位にレーザ光を照射できる。
【００１２】
（２）前記弁回転装置を備えた前記給気弁あるいは排気弁を対をなして設けるとともに、前記光ファイバー移動装置を、前記給気弁あるいは排気弁の各弁体に互いに位相をずらして取付けられて該弁体とともに回動する２個のカムと、前記光ファイバーの先端部を支持するとともに、前記２個のカムの間に各カムに当接可能に設けられ、異なる方向に傾斜した２つの当接面が形成されたファイバー支持部材と、該ファイバー支持部材を前記２個のカムに押し付ける方向に付勢するばねとにより構成し、前記弁回転装置と連動して前記２つのカムを回動して前記ファイバー支持部材を介して前記光ファイバーの先端部を平面運動せしめるようにする。
【００１３】
このように構成すれば、対をなして設けられた給気弁あるいは排気弁の各弁体に位相をずらして取付けられた２個のカムを該弁体の回動に連動して回動させ、異なる方向に傾斜した２つの当接面が形成されたファイバー支持部材の２つの当接面を前記２個のカムの回動によって押圧して、前記光ファイバーの先端部を支持するファイバー支持部材を前記弁体の軸心に直角な平面で該光ファイバーの先端部とともに微小量平面運動せしめることができ、これにより光ファイバーの先端部を常時微小量平面運動させながらターゲットの異なる部位にレーザ光を照射できる。
また、この場合は、光ファイバーの先端部が平面上で移動するので、光ファイバーからのレーザ光のターゲットへの照射位置を広げることができ、ターゲット寿命延長効果がより大きくなる。
【００１４】
（３）前記光ファイバー移動装置は、前記弁体に取付けられて該弁体とともに回動する駆動ギヤと、該駆動ギヤと噛み合うリングギヤ、サンギヤ、及び該リングギヤの内周とサンギヤの外周との間に配設された複数個の遊星ギヤを備えた遊星歯車装置とを備えて、前記遊星ギヤのうちの１つに前記光ファイバーの先端部を取付けてなり、前記駆動ギヤにより前記遊星歯車装置を駆動して前記遊星ギヤを回動させることにより前記光ファイバーの先端部を平面運動せしめるようにする。
【００１５】
このように構成すれば、給気弁あるいは排気弁の弁体に取付けられて該弁体とともに回動する駆動ギヤにより遊星歯車装置のリングギヤを回転させることにより、該遊星歯車装置を回転駆動し、該遊星歯車装置の遊星ギヤに取付けられた光ファイバーの先端部を常時微小量平面運動させながらターゲットの異なる部位にレーザ光を照射でき、レーザ光の集中照射を回避できる。
この場合においても、光ファイバーの先端部が平面上で移動するので、光ファイバーからのレーザ光のターゲットへの照射位置を広げることができ、ターゲット寿命延長効果がより大きくなる。
【発明の効果】
【００１６】
本発明によれば、給気弁または排気弁の弁体を弁軸中心回りに回動させる弁回転装置によって光ファイバー移動装置を移動させることにより、光ファイバーの先端部の向きを所要の方向に変化せしめるので、エンジンの運転中、光ファイバーの先端部が給気弁または排気弁の回動と連動する光ファイバー移動装置によって常時微小移動しながらレーザ光をターゲットに向けて照射することによりターゲットの異なる部位にレーザ光を順次照射ことが可能となる。
従って、ターゲットの一点にレーザ光を集中照射するのを回避できてターゲットの寿命を延長できる。これによりターゲットへのレーザ光集中照射による該ターゲットの焼損の発生を防止でき、またターゲットの交換頻度を大幅に低減可能となり、該ターゲットの交換に伴なう無駄な工数の増加やエンジンの運転停止等の弊害の発生を防止できる。
【発明を実施するための最良の形態】
【００１７】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００１８】
図１は本発明の第１実施例に係る単室レーザ着火式エンジンの要部断面を含む全体構成図、図２は図１のＡ−Ａ矢視図である。
図１において、１２はガスエンジン（以下エンジンという）のシリンダヘッド、１０はピストン、１１はシリンダライナ、１３は該シリンダヘッド１２、ピストン１０及びシリンダライナ１１により区画形成された燃焼室、２２はコネクチングロッド、２３はクランク軸である。
また１５は給気ポート、１４は該給気ポート１５を開閉する給気弁、１７は排気ポート、１６は該排気ポート１７を開閉する排気弁である。
２７は排気弁１６の弁軸１６ａの上部に連結された弁回転装置であり、該排気弁１６は該に弁回転装置２７によって、超低速でステップ的あるいは連続的に回動せしめられている。かかる弁回転装置２７は、従来使用されている排気弁回転装置、給気弁回転装置と同様な装置を用いることができる。
【００１９】
１はレーザ光（レーザパルス）０２を発振するレーザ発振装置、２は前記レーザ発振装置１から発振されるレーザ光０２のパルス間隔、レーザ光エネルギー（レーザ光の強さ）等を制御するレーザ制御装置である。６は前記シリンダヘッド１２内に設置されたレーザ光の集光レンズ、９は該集光レンズ６を支持する支持部材である。３５は前記集光レンズ６側と燃焼室１３側とを遮蔽するレーザ光導入ガラス体で、耐熱性を有する透明ガラスからなる。
５０は前記レーザ発振装置１からのレーザ光０２を前記集光レンズ６側に伝送するための光ファイバーである。
【００２０】
５１はエンジンの回転数を検出する回転数検出器、５２はエンジンの負荷を検出する負荷検出器、５３はクランク角センサを構成するタイミング円板で回転軸２３ａを介して前記クランク軸２３のクランク角を検出するものである。
３はコントローラで、前記回転数検出器５１からエンジン回転数の検出値が、前記負荷検出器５２からエンジン負荷の検出値が、前記クランク角センサ（タイミング円板）５３からエンジンのクランク角の検出値が夫々入力されて、前記エンジン回転数の検出値あるいは前記エンジン負荷の検出値に基づき、該エンジン回転数あるいはエンジン負荷に対応するレーザ光０２のパルス間隔、レーザ光エネルギー（レーザ光の強さ）等を算出するとともに、前記クランク角検出値に基づき各シリンダの着火順序に従ってのレーザ光の発振タイミングを算出して、前記レーザ制御装置２に入力するものである。
【００２１】
３０は光ファイバー移動装置で次のように構成されている。
即ち図１及び図２において、３１は前記排気弁１６の弁棒１６ａの外周に取付けられたカムで前記弁棒１６ａの中心１６ｂから偏心して設けられている。
３４は前記シリンダヘッド１２の上面に固定されたケース、３２は該ケース３４内に往復摺動可能に嵌合されたファイバー支持部材で、該ファイバー支持部材３２には前記光ファイバー５０の先端部が嵌着されて該先端部を支持している。該ファイバー支持部材３２は、その先端面が前記カム３１に当接されて、該カムのＮ方向（図２参照）の回動によって前ケース３４内を往復動するようになっている。３３は前記ファイバー支持部材３２を前記カム３１に押し付ける方向に付勢するばねである。
【００２２】
かかる構成からなるレーザ着火式ガスエンジンの運転時において、前記回転数検出器５１からのエンジン回転数の検出値、前記負荷検出器５２からのエンジン負荷の検出値、前記クランク角センサ５３からのクランク角の検出値は、コントローラ３に入力される。
そして該コントローラ３においては、前記エンジン回転数の検出値、エンジン負荷の検出値、及びクランク角の検出値に基づき、前記レーザ制御装置２にレーザ発振装置１からのレーザ光０２の発振タイミングの制御信号を出力する。
【００２３】
そして前記レーザ制御装置２は、前記コントローラ３から該レーザ制御装置２に出力されるレーザ光０２の発振タイミングの制御信号に基づき、前記レーザ発振装置１からレーザ光０２を発振せしめる。該レーザ光０２は前記光ファイバー５０を通して伝送され、前記ファイバー支持部材３２及びシリンダヘッド１２内を通る先端部から集光レンズ６に入り、該集光レンズ６で集光されレーザ光導入ガラス体３５を透過して、前記燃焼室１３内のターゲット５に照射される。かかるレーザ光０２の照射により燃焼室１３内の混合ガス中に高温のプラズマを発生させ、該ガスを着火燃焼せしめる。
【００２４】
かかる第１実施例において、前記弁回転装置２７によって排気弁１６が図２のＮ矢のように回動せしめられると、前記カム３１によってファイバー支持部材３２がばね３３の弾力に抗してリフトせしめられる。かかる排気弁１６の回動に連動したファイバー支持部材３２の往復動によって、該ファイバー支持部材３２に支持されている光ファイバー５０の先端部は常時微小移動しながらレーザ光０２をターゲット５に向けて照射する。
これにより、前記光ファイバー５０の先端部からのレーザ光０２はターゲットの異なる部位に順次照射されることとなり、該ターゲット５の一点にレーザ光０２を集中照射するのを回避でき、該ターゲット５の寿命を延長できる。
従ってかかる第１実施例によれば、従来技術のようなターゲット５へのレーザ光集中照射による該ターゲット５の焼損の発生を防止でき、またターゲット５の交換頻度を大幅に低減可能となり、該ターゲット５の交換に伴なう無駄な工数の増加やエンジンの運転停止等の弊害の発生を防止できる。
尚、給気弁１４に前記第１実施例と同一構成の弁回転装置２７及び光ファイバー移動装置３０を設けることも可能である。
【実施例２】
【００２５】
図３は本発明の第２実施例を示す図２対応図（図１のＡ−Ａ矢視図相当図）である。
図３において、３０は光ファイバー移動装置で次のように構成されている。
４１ａ、４１ｂは対をなして設けられた排気弁１６、１６の弁棒１６ａ、１６ａの外周に取付けられたカムで、前記弁棒１６ａ、１６ａの中心１６ｂ、１６ｂから偏心して設けられている。また、前記カム４１ａ及び４１ｂは、そのプロフィール中心４１ｃ及び４１ｄの位相を円周方向にずらして設けられている。
３６は厚肉平板状のファイバー支持部材で、前記光ファイバー５０の先端部が嵌着されて該先端部を支持している。該ファイバー支持部材３６には互いに略直角方向に傾斜した２つの当接面３６ａ及び３６ｂが形成され、該当接面３６ａが一方側のカム４１ａに当接され、当接面３６ｂが他方側のカム４１ｂに当接されている。
そして、前記ファイバー支持部材３６の反カム側の面３６ｃには球面形状の接触面３７ａが形成された接触子３７１が、ばね３７によって押し付けられている。
【００２６】
かかる第２実施例において、前記弁回転装置２７によって、カム４１ａが設けられた排気弁１６がＭ１方向、カム４１ｂが設けられた排気弁１６がＭ２方向に互いに逆方向に回動せしめられる。プロフィール中心４１ｃ及び４１ｄの位相を円周方向にずらして設けられたカム４１ａ及びカム４１ｂが、前記のように互いに逆方向に回動することによって、
ばね３７の弾力で該カム４１ａ及びカム４１ｂと当接せしめられているファイバー支持部材３６及び該ファイバー支持部材３６に支持されている光ファイバー５０を、前記排気弁１６、１６の軸心１６ｂ、１６ｂに直角な平面で微小量平面運動せしめることができる。
これにより光ファイバー５０の先端部を常時微小量平面運動させながらターゲット５の異なる部位にレーザ０２を照射できる。この場合は、光ファイバー５０の先端部が平面上で移動するので、前記第１実施例よりも光ファイバー５０からのレーザ０２のターゲット５への照射位置を広げることができ、ターゲット寿命延長効果がより大きくなる。
尚、給気弁１４にかかる第２実施例と同一構成の弁回転装置２７及び光ファイバー移動装置３０を設けることも可能である。
【実施例３】
【００２７】
図４は本発明の第３実施例を示す図２対応図（図１のＡ−Ａ矢視図相当図）である。
図４において、３０は光ファイバー移動装置で次のように構成されている。
４５は排気弁１６の弁棒１６ａの外周に固定されて該排気弁１６とともに回動する駆動ギヤである。３００は遊星歯車装置で、前記駆動ギヤ４５と噛み合う外歯と複数個の遊星ギヤ４７（後述）と噛み合う内歯とを有するリングギヤ４６、中心部のサンギヤ４８、該サンギヤ４８の外歯と前記リングギヤ４６の内歯とに噛み合う複数個の遊星ギヤ４７、及び図示しないケースに固定され該遊星ギヤ４７を回転自在に支持するキャリア４９からなる。
前記遊星ギヤ４７のうちの１つに前記光ファイバー５０の先端部が取付けられている。
【００２８】
かかる第３実施例において、前記弁回転装置２７によって、駆動ギヤ４５が設けられた排気弁１６が例えば図のＮ方向に回動せしめられると、前記遊星歯車装置３００のリングギヤ４６がＭ方向に回動し、これにより遊星ギヤ４７がＵ方向に自転しつつサンギヤ４８に動力を伝達する。
かかる遊星ギヤ４７の自転によって該遊星ギヤ４７取付けられている光ファイバー５０の先端部を、前記排気弁１６の軸心１６ｂに直角な平面で微小量平面運動せしめることができる。
これにより光ファイバー５０の先端部を常時微小量平面運動させながらターゲット５の異なる部位にレーザ光０２を照射できる。この場合は、光ファイバー５０の先端部が平面上で移動するので、前記第１実施例よりも光ファイバー５０からのレーザ光のターゲットへの照射位置を広げることができ、ターゲット寿命延長効果がより大きくなる。
尚、給気弁１４にかかる第３実施例と同一構成の弁回転装置２７及び光ファイバー移動装置３０を設けることも可能である。
【産業上の利用可能性】
【００２９】
本発明によれば、レーザ光のターゲットの一点への集中照射を回避して、かかるレーザ光の一点集中照射によるターゲットの寿命低下を防止でき、該ターゲットの寿命低下によるレーザ着火不良及びこれに伴う燃焼不良の発生を防止可能となるとともに、ターゲットの交換に伴なう無駄な工数の増加やエンジンの運転停止等の弊害発生を抑制し得るレーザ着火式エンジンを提供できる。
【図面の簡単な説明】
【００３０】
【図１】本発明の第１実施例に係る単室レーザ着火式エンジンの要部断面を含む全体構成図である。
【図２】図１のＡ−Ａ矢視図である。
【図３】本発明の第２実施例を示す図２対応図（図１のＡ−Ａ矢視図相当図）である。
【図４】本発明の第３実施例を示す図２対応図（図１のＡ−Ａ矢視図相当図）である。
【符号の説明】
【００３１】
１    レーザ発振装置
２    レーザ制御装置
０２  レーザ光
３    コントローラ
５    ターゲット
１０  ピストン
１２  シリンダヘッド
１３  燃焼室
１４  給気弁
１６  排気弁
２７  弁回転装置
３０  光ファイバー移動装置
３１、４１ａ、４１ｂ  カム
３２、３６  ファイバー支持部材
３３、３７  ばね
４５  駆動ギヤ
４７  遊星ギヤ
５０  光ファイバー
５１  回転数検出器
５２  負荷検出器
５３  クランク角センサ
３００  遊星歯車装置
【図１】
2006104973.tif 000003
【図２】
2006104973.tif 000004
【図３】
2006104973.tif 000005
【図４】
2006104973.tif 000006